(57)【要約】【課題】  テープホルダーの位置合わせが容易となるとともに、側板の加工範囲に柔軟性のあるテープカッターを提供する。【解決手段】  テープカッター１１を構成する垂直方向に立設される第１側板１３の一方面に板状のホルダーベース１８が取付けられる。ホルダーベース１８に対して、回動自在のタイヤ状の回転ホルダーを有するテープホルダー１７が上方から脱着自在に取付けられるように構成されている。セロハンテープ１９は、テープホルダー１７の回転ホルダーによってその中央穴が保持される。テープホルダー１７及びホルダーベース１８よりなるテープ支持体１６がそれらの間に位置するように、前方板２０及び後方板２１が第１側板１３に取付けられる。更に前方板２０の上面にはカッター刃２４が取付けられ、更に前方板２０及び後方板２１を介して、第１側板１３に対向するように第２側板１４が取付けられる。【選択図】      図２
2005067807.tif 000002
【特許請求の範囲】
【請求項１】
組立式のテープカッターであって、
垂直方向に立設された側板と、
前記側板の一方面に固定された板状のホルダーベースと、
前記ホルダーベースに対して、前記側板の一方面に沿って上方から脱着自在に取付けられるとともに、セロハンテープに嵌合してこれを回動自在に保持するテープホルダーとを備えた、テープカッター。
【請求項２】
前記テープホルダーは、
セロハンテープの中央穴にその周壁が嵌合して、これを保持することができるタイヤ状の回転ホルダーと、
前記回転ホルダーの中央部に係合して、前記回転ホルダーを回動自在に支持するとともに、前記ホルダーベースに取付けられる支持体とを含む、請求項１記載のテープカッター。
【請求項３】
少なくとも前記回転ホルダーの一部の高さまで垂直方向に立設され、前記ホルダーベース及び前記テープホルダーを介して前記側板に対して近接した状態で対向するように配置された第２の側板を更に備え、
前記ホルダ−ベースは、
前記テープホルダーが取付けられるとともに、前記テープホルダーを第１の方向に持ち上げることによって取外すことができる係合体と、
前記係合体に接続する取付体とからなる、請求項２記載のテープカッター。
【請求項４】
前記第１の方向は、垂直方向に対して保持されたセロハンテープの引出し方向とは反対方向に傾斜する、請求項３記載のテープカッター。
【請求項５】
前記支持体は、保持されたセロハンテープの上端より上方に伸びる取手を含む、請求項３又は請求項４記載のテープカッター。
【請求項６】
前記取付体の下方端縁は、前記側板の下方端縁に整列する、請求項３から請求項５のいずれかに記載のテープカッター。
【請求項７】
垂直方向に立設するとともに、前記ホルダーベースがそれらの間に位置するように前記側板の一方面に対して直交するように取付けられた前方板及び後方板と、
前記前方板の下部と前記後方板の下部とに架け渡された重りと、
前記前方板の上端に取付けられたカッター刃とを更に備えた、請求項１から請求項６のいずれかに記載のテープカッター。
【発明の詳細な説明】
【技術分野】
【０００１】
この発明はテープカッターに関し、特に小学校の教材として用いられる組立式のテープカッターに関するものである。
【背景技術】
【０００２】
図７は従来の組立式のテープカッターの外観形状を示す分解斜視図である。
これらの図を参照して、組立式のテープカッター６１は主に矩形板形状を有する一対の側板６３ａ，側板６３ｂと、セロハンテープ１９が脱着自在に取付けられるテープホルダー６７と、セロハンテープ１９から引出されたテープの部分を切断するためのカッター刃７５と、カッター刃７５を固定するための前方板６４及び底板６５とを中心として構成されている。
【０００３】
具体的には、テープホルダー６７の中心に形成された軸穴６８に軸６９が通され、これを側板６３ａの内面に取付けられた軸受７１ａの切欠７２ａと側板６３ｂの内面に取付けられた軸受７１ｂの切欠７２ａとに軸６９を上方から掛け渡すことによって、テープホルダー６７を回動自在に支持する。尚、セロハンテープ１９はテープホルダー６７の周壁７０に脱着自在に取付けられる。側面視Ｌ字状に接続された前方板６４及び底板６５はその一方側の端縁が側板６３ａの内面側に固定され、その他方側の端縁が側板６３ｂの内面側に固定される。又、必要に応じて直方体形状を有する重り７４を底板６５の上面に設置して、テープカッター６１の使用時における安定感を向上させる。
【０００４】
尚、図では側板６３ａ，側板６３ｂを矩形板状としているが、実際には組立てる前に側板６３ａ，側板６３ｂの各々を所望の形に加工したり、又組立後にはこれらの外面側に絵を付けたりして仕上げるものである。
【発明の開示】
【発明が解決しようとする課題】
【０００５】
上記のような従来の組立式のテープカッターでは、テープホルダーを支える一対の軸受の高さ等を揃える必要があるが、これらの軸受は別々の側板に取付けられているため、その位置調整は小学生等にとっては容易ではない。又、テープホルダーはこれらの側板に掛け渡された状態となっている。そのため、側板同志は基本的には同一形状とする必要があるので、側板の加工範囲等が制限されてしまう。
この発明は上記のような課題を解決するためになされたもので、テープホルダーの位置合わせが容易となるとともに、側板の各々の加工範囲に柔軟性のあるテープカッターを提供することを目的とする。
【課題を解決するための手段】
【０００６】
上記の目的を達成するために、請求項１記載の発明は、組立式のテープカッターであって、垂直方向に立設された側板と、側板の一方面に固定された板状のホルダーベースと、ホルダーベースに対して側板の一方面に沿って上方から脱着自在に取付けられるとともに、セロハンテープに嵌合してこれを回動自在に保持するテープホルダーとを備えたものである。
【０００７】
このように構成すると、セロハンテープは側板の一方面において保持される。
【０００８】
請求項２記載の発明は、請求項１記載の発明の構成において、テープホルダーは、セロハンテープの中央穴にその周壁が嵌合して、これを保持することができるタイヤ状の回転ホルダーと、回転ホルダーの中央部に係合して、回転ホルダーを回動自在に支持するとともにホルダーベースに取付けられる支持体とを含むものである。
【０００９】
このように構成すると、保持されたテープホルダーは支持体とは独立した状態で回動する。
【００１０】
請求項３記載の発明は、請求項２記載の発明の構成において、少なくとも回転ホルダーの一部の高さまで垂直方向に立設され、ホルダーベース及びテープホルダーを介して側板に対して近接した状態で対向するように配置された第２の側板を更に備え、ホルダーベースは、テープホルダーが取付けられるとともに、テープホルダーを第１の方向に持ち上げることによって取外すことができる係合体と、係合体に接続する取付体とからなるものである。
【００１１】
このように構成すると、保持されたテープホルダーは使用時にホルダーベースから脱落することはない。
【００１２】
請求項４記載の発明は、請求項３記載の発明の構成において、第１の方向は、垂直方向に対して保持されたセロハンテープの引出し方向とは反対方向に傾斜するものである。
【００１３】
このように構成すると、使用時にセロハンテープが引出されてもテープホルダーが持ち上がることがない。
【００１４】
請求項５記載の発明は、請求項３又は請求項４記載の発明の構成において、支持体は、保持されたセロハンテープの状態により上方に伸びる取手を含むものである。
【００１５】
このように構成すると、取手を介して支持体は持ち上げられる。
【００１６】
請求項６記載の発明は、請求項３から請求項５のいずれかに記載の発明の構成において、取付体の下方端縁は、側板の下方端縁に整列するものである。
【００１７】
このように構成すると、取付体の高さ方向の取付位置が決定する。
【００１８】
請求項７記載の発明は、請求項１から請求項６のいずれかに記載の発明の構成において、垂直方向に立設するとともに、ホルダーベースがそれらの間に位置するように側板の一方面に対して直交するように取付けられた前方板及び後方板と、前方板の下部と後方板の下部とに架け渡された重りと、前方板の上端に取付けられたカッター刃とを更に備えたものである。
【００１９】
このように構成すると、重りが前方板及び後方板に一体化される。
【発明の効果】
【００２０】
以上説明したように、請求項１記載の発明は、セロハンテープは側板の一方面において保持されるため、側板に対向して立設される他の側板を必要としない。そのため、従来例のようにテープホルダーの両側板に対する位置合わせが必要なく、信頼性の高いテープカッターを容易に組立てることができる。
【００２１】
請求項２記載の発明は、請求項１記載の発明の効果に加えて、テープホルダーは支持体とは独立して回動するため、テープホルダーの安定した回転が確保される。
【００２２】
請求項３記載の発明は、請求項２記載の発明の効果に加えて、テープホルダーは使用時にホルダーベースから脱落することがないため、使用状態の信頼性が向上するとともに、テープホルダーを容易に取外すことができるので、セロハンテープの交換が容易となり使い勝手が良い。
【００２３】
請求項４記載の発明は、請求項３記載の発明の効果に加えて、セロハンテープの使用時にテープホルダーが持ち上がることがないため、テープホルダーが係合体から脱落する虞がなくなり、信頼性が向上する。
【００２４】
請求項５記載の発明は、請求項３又は請求項４記載の発明の効果に加えて、支持体は取手を介して持ち上げることができるため、セロハンテープの交換のためのテープホルダーのホルダーベースからの取外しが容易となり使い勝手が良い。
【００２５】
請求項６記載の発明は、請求項３から請求項５のいずれかに記載の発明の効果に加えて、取付体の高さ方向の取付位置が決まるため、ホルダーベースを介してテープホルダーの高さ位置が所定の位置となり組立てが容易となる。
【００２６】
請求項７記載の発明は、請求項１から請求項６のいずれかに記載の発明の効果に加えて、重りが前方板及び後方板に一体化されるため、別途重りを用意する必要がないため効率的なテープカッターとなる。
【発明を実施するための最良の形態】
【００２７】
図１はこの発明の第１の実施の形態によるテープカッターの外観形状を示した斜視図であり、図２はこれの分解斜視図である。
【００２８】
この実施の形態におけるテープカッター１１にあっては、セロハンテープ１９の中央穴にその周壁が嵌合してこれを保持することができるタイヤ状のテープホルダー１７と、テープホルダー１７が上方から脱着自在に取付られる板状のホルダーベース１８とによって、セロハンテープ１９を支持するテープ支持体１６が構成されている。ホルダーベース１８は、垂直方向に立設される矩形板状の第１側板１３の一方面に固定される。固定される際には、ホルダーベース１８の下方端縁４９は、第１側板１３の下方端縁５０に整列するように取付けられるように構成されている。尚、図２において第１側板１３に示されている破線は、テープカッター１１を組立てる際に、ホルダーベース１８の取付範囲を残し、テープカッター１１のデザインに合わせて第１側板１３をカットする位置を示したものである。
【００２９】
又、垂直方向に立設するとともに、ホルダーベース１８がそれらの間に位置するように第１側板１３の一方面に対して直交するように取付けられる矩形板状の前方板２０及び後方板２１と、前方板２０の下部と後方板２１の下部とに架け渡すように２本の棒状の重り２２とが取付けられている。そして前方板２０の上端にはカッター刃２４が取付られるように構成されている。
【００３０】
一方、第１側板１３に対向する矩形板状の第２側板１４（便宜上仮想線で表示）は、垂直方向に立設され、テープホルダー１７及びホルダーベース１８を介して第１側板１３に対して近接した状態で、前方板２０及び後方板２１の側縁に取付けられるように構成されている。尚、第２側板１４の形状は、加工前は第１側板１３の形状と同一形状となっているが、テープカッター１１のデザインに応じて第１側板１３とは異なった形状に加工することが可能となる。これはセロハンテープ１９を保持するテープホルダー１７が、従来例のように第１側板１３と第２側板１４との間に架け渡される構造ではなく、第１側板１３の一方面にのみ固定されるためである。但しセロハンテープ１９のテープホルダー１７からの水平方向への不用意な脱落を防止するために、第２側板１４の加工後の高さが、少なくともテープホルダー１７の一部の高さまで覆うような形状とすることが好ましい。
【００３１】
尚、カッター刃２４の高さは、セロハンテープ１９の回転中心とほぼ同一となるように前方板２０の高さが設定されている。
【００３２】
図３は図１及び図２で示したテープホルダーの具体的な形状を示すための分解斜視図である。
【００３３】
図を参照して、テープホルダー１７は、セロハンテープの中央穴に嵌合してこれを保持することができるタイヤ状の回転ホルダー２６と、回転ホルダー２６の中央部に係合して、回転ホルダー２６を回動自在に支持することができる支持体３１とから構成されている。具体的には、回転ホルダー２６はその周壁２７の上に所定間隔で複数の突起体２８が軸方向に形成されている。この突起体２８の各々の外方面より規定される円の直径は、保持すべきテープホルダーの中央穴の外径より若干大きなものに設定されている。これによって、セロハンテープの中央穴を回転ホルダー２６の軸方向から水平方向に挿入することによって、セロハンテープの中央穴は突起体２８に当接した状態で嵌合して保持されることになる。尚、回転ホルダー２６の中央に形成されている開口２９の外方側には、軸方向に対して直交する方向に伸びる平坦部３０が形成されている。
【００３４】
一方、支持体３１は、回転ホルダー２６の開口２９の内径より僅かに小さく設定された外径の軸部３２と、軸部３２の軸方向の一方端部側に一体的に形成された接続部３５ａ，接続部３５ｂと、接続部３５ａ，接続部３５ｂから軸方向に対して直交する方向に伸びるフランジ部３６ａ，フランジ部３６ｂと、接続部３５ａ，接続部３５ｂの上方端側に接続されたＵ字形状の取手３７とから構成されている。
【００３５】
軸部３２の他方端部においては、切欠によって一対の係止片３３ａ，係止片３３ｂが形成されている。又、係止片３３ａ，係止片３３ｂの軸方向端部には突起部が形成されており、その突起部の外面同志を結ぶ距離は、軸部３２の外径より大きくなるように設定されている。
【００３６】
回転ホルダー２６を支持体３１に係合させる際には、支持体３１の軸部３２を回転ホルダー２６の開口２９内を挿通させるように近づける。この時係止片３３ａ，係止片３３ｂは回転ホルダー２６の開口２９の内面に当接するが、それらの両側は切欠が形成されているため、内方側に撓むように変形させることが可能である。これによって軸部３２は回転ホルダー２６の開口２９内を挿通する。そして軸部３２が開口２９内を完全に挿通すると、係止片３３ａ，係止片３３ｂは元の状態に復帰し、各々の突起部は回転ホルダー２６の平坦部３０側に突出た抜け止め状態にこれらは係合する。
【００３７】
図４はこのようにして回転ホルダー２６と支持体３１とが係合した状態を示したテープホルダーの外観形状を示した斜視図である。
【００３８】
図を参照して、支持体３１の係止片３３ａ，係止片３３ｂは上述のように回転ホルダー２６の平坦部３０側に突出した抜け止め状態で係合するため、回転ホルダー２６はもはや支持体３１から脱落することはない。尚、この係合状態では、軸部３２の径は回転ホルダー２６の開口２９の内径よりわずかに小さく設定されているため、回転ホルダー２６は矢印の方向に軸部３２の回りに対して回動自在となるように支持体３１に支持されることになる。尚、支持体３１の取手３７は、テープホルダー１７に保持されるセロハンテープの外周面に当たることなくその外方側上方に位置するように回転ホルダー２６側に若干曲げられている。
【００３９】
図５は図２で示したテープホルダーとホルダーベースの外観形状を示した分解斜視図である。
【００４０】
図を参照して、テープホルダー１７としては、図４で示した回転ホルダー２６と支持体３１とが係合した状態のものが示されている。従って、回転ホルダー２６の背面側には、支持体３１として形成されている一対のフランジ部３６ａ（図示せず），フランジ部３６ｂが位置することになる。
【００４１】
一方、ホルダーベース１８はテープホルダー１７が脱着自在に取付けられる矩形枠体形状の係合体４０と、係合体４０に一体的に接続される板状の取付体４１とから構成されている。
【００４２】
係合体４０はほぼ正方形板状のベース部４３と、ベース部４３の対向する辺のうち上下方向に伸びる辺に接続された一対の係合部４４ａ，係合部４４ｂと、係合部４４ａ，係合部４４ｂの外方側に設置されたビス穴４７ａ，ビス穴４７ｂとから構成されている。係合部４４ａ，係合部４４ｂとベース部４３の面との間には一定の間隔が設けられており、その間隔内にテープホルダー１７のフランジ部３６ａ，フランジ部３６ｂが上方側からスライド自在に係合できるようにその間隔が設定されている。従って、テープホルダー１７をホルダーベース１８の係合体４０に係合させると、テープホルダー１７の回転ホルダー２６は、その軸方向には移動できないように係合体４０に保持され、その位置で回転ホルダー２６は回動自在となる。
【００４３】
一方、係合体４０に接続される取付体４１はほぼ長方形板状の平板部４５と、平板部４５の上方側に形成されたビス穴４７ｃとから構成されている。尚、係合体４０の係合部４４ａ，係合部４４ｂの形成方向、すなわち、テープホルダー１７が支持体３１を介して持ち上げることによって係合体４０から取外される方向は、垂直方向からθだけ傾斜するように係合体４０は設定されている。この理由については以下説明する。
【００４４】
図６は図５で示した状態からテープホルダー１７をホルダーベース１８に取付けた状態を示した斜視図である。尚、ホルダーベース１８は図５で示したビス穴４７ａ〜ビス穴４７ｃを用いて図２で示した第１側板１３の一方面に固定される。
【００４５】
図を参照して、このようにして取付けられた状態にあっては、テープホルダー１７は垂直方向に対してやや傾斜した矢印の方向に持ち上げることによってのみ、ホルダーベース１８から取外すことが可能となる。このため、セロハンテープの使用時に生じる回転ホルダー２６に対して破線の矢印方向に加わる力によっては、テープホルダー１７はホルダーベース１８から脱落するように力が加わらないことを意味する。すなわち使用時にあっては、テープホルダー１７に対しては、実線の矢印とは反対方向に破線の矢印に加わる力の分力が生じるように構成されている。これによってテープホルダー１７のホルダーベース１８に対する安定した取付状態が確保されている。
【００４６】
次に図２に戻って、図１に示したテープカッターの組立手順について説明する。
【００４７】
まず組立てに際しては、ホルダーベース１８の取付範囲を残して所望の形状に第１側板１３を加工する。この時、ホルダーベース１８の取付体４１の下方端縁４９は、第１側板１３の下方端縁５０に整列するように第１側板１３に固定するように設定されている。従って、従来とは異なり、セロハンテープ１９を保持するテープホルダー１７の位置が自動的に決まるため、取付けが容易となる。
【００４８】
次にテープホルダー１７にセロハンテープ１９を保持させた状態で、テープホルダー１７をホルダーベース１８に上方側から取付ける。この状態でこれらが前方板２０及び後方板２１の間に位置するように、前方板２０及び後方板２１を第１側板１３の一方面に固定する。このため後方板２１にセロハンテープ１９が接触してテープホルダー１７が回動できないという不具合が生じる虞はない。又、前方板２０及び後方板２１の取付けに際しては、その下方端部５１，５２を第１側板１３の下方端縁５０に整列するように取付ければ良いため、その高さ方向の位置合わせも容易となる。
【００４９】
更に、前方板２０及び後方板２１の間には重り２２が既に取付けられているため、従来のように別途重りを準備して取付ける必要はなく、又そのスペースを必要とすることはない。そして前方板２０の上面にカッター刃２４を取付けるが、カッター刃２４の取付け高さとセロハンテープ１９の回転中心とは、ホルダーベース１８の形状及び前方板２０の形状より一義的に定まっており、これらの位置関係のずれによる不具合を生じる虞もない。
【００５０】
このようにして第１側板１３の一方面側に取付けられた状態に対して、加工した第２側板１４を前方板２０及び後方板２１に取付けることによって、図１に示すようにテープカッター１１は完成する。上述のように、セロハンテープ１９は第１側板１３側によってのみ保持されているため、従来例のように第２側板１４の形状は第１側板１３の形状に合わせる必要はなく、全く自由に仕上げることが可能となる。このようにして、第１側板１３及び第２側板１４の加工時の形状選択の幅が広がるものである。
【００５１】
使用時には図１に示されているようにセロハンテープ１９の端部を引出し、これをカッター刃２４によって切断して使用する。この引出しによってセロハンテープ１９を介してテープ支持体１６にはカッター刃２４側への水平方向の力が加わる。しかし、上述のように、セロハンテープ１９を保持しているテープホルダー１７は第１側板１３に固定されているホルダーベース１８に対して特定の方向にのみ脱着できるように構成されているため、セロハンテープ１９の引出しによってテープホルダー１７がホルダーベース１８から脱落する虞はない。
【００５２】
次にセロハンテープ１９の交換方法について説明する。
【００５３】
セロハンテープ１９はその軸方向の両側が第１側板１３及び第２側板１４に挟まれた状態となっているため、使用状態ではセロハンテープ１９をテープホルダー１７から水平方向に取外すことはできない。そこで、セロハンテープ１９の交換時には、セロハンテープ１９の外周面の上方に位置するテープホルダー１７の取手３７を掴んでこれを斜め後方側に引上げる。すると、図５に示すようにテープホルダー１７をセロハンテープ１９とともにホルダーベース１８から上方に取外すことが可能となる。テープカッター１１から取出されたテープホルダー１７から使用済みのセロハンテープ１９を取外し、新たなセロハンテープ１９をテープホルダー１７に取付ける。そして第１側板１３及び第２側板１４の間の上方から、テープホルダー１７を取手３７を用いて前方下方に移動させることによってホルダーベース１８に係合させる。これによって図１に示した状態となり、以下同様に使用し又セロハンテープ１９を交換すれば良い。
【００５４】
尚、上記の各実施の形態では、第２の側板を設けるように構成されているが、セロハンテープは第１の側板側にのみ支持されているため、第２の側板は必ずしも無くとも良い。
【００５５】
又、上記の各実施の形態では、テープホルダーは斜め上方に移動させることによってホルダーベースから取り外せるように構成されているが、垂直上方に取外せるように構成しても良い。
【００５６】
更に、上記の各実施の形態では、テープ支持体を構成するホルダーベースの下方端縁を第１側板の下方端縁に整列するように設定されているが、これらを整列させることなくテープ支持体を取り付けても良い。
【００５７】
更に、上記の各実施の形態では、テープ支持体を構成する支持体に取手が形成されているが、必ずしも必要なものではない。
【００５８】
更に、上記の各実施の形態では、後方板を設けているが、これは必ずしも必要なものでなく、従来例のような構成であっても良い。この場合、重りは従来例と同様に別途設けるようにすれば良い。
【００５９】
更に、回転ホルダーと支持体とは別体として組み立てられているが、これらは最初から一体構造にしていても良い事は言うまでもない。
【図面の簡単な説明】
【００６０】
【図１】この発明の第１の実施の形態によるテープカッターの外観形状を示した斜視図である。
【図２】図１で示したテープカッターの各構成物品を示した分解斜視図である。
【図３】図２で示したテープホルダーの各構成部品の外観形状を示した分解斜視図である。
【図４】図３で示したテープホルダーの取付け状態を示した斜視図である。
【図５】図２で示したテープホルダー及びホルダーベースの外観形状を示した分解斜視図である。
【図６】図５で示したテープホルダーとホルダーベースとの取付け状態を示した斜視図である。
【図７】従来のテープカッターの外観形状を示した分解斜視図である。
【符号の説明】
【００６１】
１１…テープカッター
１３…第１側板
１４…第２側板
１７…テープホルダー
１８…ホルダーベース
１９…セロハンテープ
２０…前方板
２１…後方板
２２…重り
２４…カッター刃
２６…回転ホルダー
３１…支持体
３７…取手
尚、各図中同一符号は同一又は相当部分を示す。
【図１】
2005067807.tif 000003
【図２】
2005067807.tif 000004
【図３】
2005067807.tif 000005
【図４】
2005067807.tif 000006
【図５】
2005067807.tif 000007
【図６】
2005067807.tif 000008
【図７】
2005067807.tif 000009